(57)【要約】      （修正有）【課題】田畑等の周囲に設置して、害獣の侵入を防止する電気さくにあって、電気さく用の支柱にも架電可とする電気さく支柱用の導電体を提供する。【解決手段】打設した支柱２にコイル状に形成した導電体２０を差し入れる。該導電体２０を約２０ｃｍ上方に持ち上げた後で、導電体２０の下部付近に１段目のガイシ１ｄを取り付ける。電気さく用支柱の導電体２０も支柱２に取り付けられた状態となる。２段目〜４段目のガイシ１ｃ〜１ａも取り付け、裸電線３ｄ〜３ａを支持させる。さらに、１段目〜４段目の裸電線３ｄ〜３ａを上下結線４する。裸電線３ｂと電気さく用支柱の導電体２０を結線２５で電気的に接続する。【選択図】図８
0003181168.tif 000002
【実用新案登録請求の範囲】
【請求項１】
直径が０．５ｍｍ〜３ｍｍの導電材料をらせん状に巻き、らせんの線状の間隔２１を１５ｍｍ〜５０ｍｍとした電気さく用支柱の導電体２０。
【考案の詳細な説明】
【技術分野】  本考案は、鹿や熊や猿などの害獣が田畑や果樹園へ侵入するのを防ぐために、田畑や果樹園の周囲に設置される電気さく用支柱の導電体に関するものである。
【背景技術】山間地域の農村地帯では、鹿や熊や猿などの害獣が田畑や果樹園へ侵入するのを防ぐために電気さくが多く使用されている。
電気さくは  田畑や果樹園の周囲に裸電線を張り巡らし、この裸電線に電気柵本器内の衝撃電圧発生器から発生した衝撃電圧を印加する。
この裸電線に鹿や熊や猿などの害獣が接触し、その電撃により害獣を撃退するものである。
具体的には以下の構成である。
図１に示すように、田畑や果樹園の周囲に打設された支柱２に取り付けられた碍子１ａ、碍子１ｂ、碍子１ｃ、碍子１ｄに裸電線３ａ、裸電線３ｂ、裸電線３ｃ、裸電線３ｄを係止して、裸電線３ａ、３ｂ、３ｃ、３ｄを田畑や果樹園の周囲に張設し、その裸電線３ａ、３ｂ、３ｃ、３ｄを約５０ｍごとに裸電線からなる上下結線４で結線される。
地表より１段目の裸電線３ｄは地表より約２０ｃｍ程度、２段目の裸電線３ｃは裸電線３ｄの上方約２０ｃｍ程度、３段目の裸電線３ｂは裸電線３ｃの上方約４０ｃｍ程度、４段目の裸電線３ａは裸電線３ｂの上方約５０ｃｍ程度の位置に張設されている。
そして、この張設された裸電線３ａ、裸電線３ｂ、裸電線３ｃ、裸電線３ｄに衝撃電圧発生装置５より発生された衝撃電圧が印加されている。
鹿や熊や猿などは田畑や果樹園に侵入しようとして、この張設された裸電線３ａ又は裸電線３ｂ、裸電線３ｃ、裸電線３ｄに接触する。
接触すると、鹿や熊や猿などには図中の矢印のように電気さく本器５の出力端子６、出力線７、裸電線３ｃ、  上下結線４、裸電線３ａ、３ｂ、３ｄ、鹿や熊や猿などの害獣８、地中９、アース棒１０、アース線１１、アース端子１２の順路で衝撃電流が流れる。鹿や熊や猿などの害獣８は衝撃電圧より電撃を受け撃退される。
しかし、図２に示すように、この電気さくの通電中に、熊などの害獣が衝撃電圧が印加されている裸電線３ａ、３ｂ、３ｃ、３ｄには触れずに、衝撃電圧が印加されていない支柱２を手でつかんで押し倒すこともある。そのあと、熊などの害獣は田畑や果樹園に侵入しようとする。
また、この電気さくの通電中に、猿などの害獣が衝撃電圧が印加されている裸電線３ａ、３ｂ、３ｃ、３ｄには触れずに、衝撃電圧が印加されていない支柱２だけを手や足でつかんでよじ登り畑や果樹園に侵入することも考えられる。
【考案の概要】
【考案が解決しようとする課題】  衝撃電圧が印加されていない支柱２があると、上で述べたとおり、熊や猿などの害獣が畑や果樹園に侵入することがある、という問題があった。
本考案が解決しようとする課題は、熊や猿などの害獣を田畑や果樹園に侵入させないために、支柱２のほぼ全体に衝撃電圧が印加される導電体を設けることができる電気さく用支柱の導電体を提供することを目的とする。
【課題を解決するための手段】  上記の目的を達成するために、本考案の電気さく用支柱の導電体は、直径が０．５ｍｍ〜３ｍｍの導電材料をらせん状に巻いたことを特徴とする。
ここで、直径が０．５ｍｍ〜３ｍｍの導電材料をらせん状に巻いていることによって、導電材料の一部に衝撃電圧を印加することで、本考案の電気さく用支柱の導電体に熊や猿などの害獣が触れると、熊や猿などは電撃を受けて畑や果樹園に侵入することができない。
【考案の効果】本考案に係る電気さく用支柱の導電体は、導電材料の一部に衝撃電圧を印加することで、本考案の電気さく用支柱の導電体に熊や猿などの害獣が触れると、熊や猿などは電撃を受けて畑や果樹園に侵入することができない。
【図面の簡単な説明】
【図１】電気柵の一例を示す概要図である。
【図２】熊などが支柱２を押し倒している概要図である。
【図３】本考案の電気さく用支柱の導電体の概要図である。
【図４】本考案の電気さく用支柱の導電体の上方の拡大図である。
【図５】打設した支柱に本考案の電気さく用支柱の導電体を差し入れた概要図である。
【図６】図５の状態から、本考案の電気さく用支柱の導電体を約２０ｃｍ持ち上げて、１段目のガイシを取り付ける前の概要図である。
【図７】１段目のガイシを取り付けた概要図である。（本考案の電気さく用支柱の導電体も支柱２に取り付けられた状態となる。）
【図８】本考案の電気さく用支柱の導電体を用いた電気さくの概要図である。（本考案の電気さく用支柱の導電体に熊が触れて感電している。）
【考案を実施するための形態】
以下、図面にもとづき本考案の実施の形態を説明する。
１．設置方法について、
▲１▼打設した支柱に本考案の電気さく用支柱の導電体２０を差し入れる。すると、図５に示すように、本考案の電気さく用支柱の導電体２０の底部は地面に着いた状態となる。
▲２▼図６に示すように、本考案の電気さく用支柱の導電体２０を約２０ｃｍ上方に持ち上げた後で、図７に示すように、本考案の電気さく用支柱の導電体２０の下部付近に１段目のガイシ１ｄを取り付ける。（本考案の電気さく用支柱の導電体２０も支柱２に取り付けられた状態となる。）
▲３▼図８に示すように、２段目〜４段目のガイシ１ｃ〜１ａも取り付ける。
（なお、電線支持具はガイシでなくともフックとすることもできる。）
▲４▼図８に示すように、１段目〜４段目のガイシ１ｄ〜１ａに裸電線３ｄ〜３ａを支持させる。
▲５▼図８に示すように、１段目〜４段目の裸電線３ｄ〜３ａを上下結線４する。
▲６▼図８に示すように、裸電線３ｂと本考案の電気さく用支柱の導電体２０を本考案への結線２５で電気的に接続する。
▲７▼このあとの設置方法については通常の電気さくと変りはなく、
・電気さく電源装置５の出力線７を裸電線３ｃに接続する。
・アース棒１０を地中９に打ち込む
・電気さく電源装置５の電源５５を入れる。
２．熊などの害獣が電撃を受けるまで、
▲１▼図８に示す裸電線３ｄ〜３ａと本考案の電気さく用支柱の導電体２０には衝撃電圧が印加されている。
▲２▼図８に示すように、熊などの害獣８が支柱２を倒そうとして、衝撃電圧が印加されている本考案の電気さく用支柱の導電体２０を触れる。すると、電撃を受けた熊などの害獣８は田畑や果樹園に侵入することができない。
また、猿などの害獣８が支柱２によじ登ろうとして、衝撃電圧が印加されている本考案の電気さく用支柱の導電体２０に触れる。すると、電撃を受けた猿などの害獣は田畑や果樹園に侵入することができない。
【符号の説明】  １ａ、１ｂ、１ｃ、１ｄ：碍子
１ｄ１：碍子のヒートン部
１ｄ２：碍子の本体
１ｄ３：碍子の蝶ナット
２：支柱
３ａ、３ｂ、３ｃ、３ｄ：裸電線
４：上下結線
５：衝撃電圧発生装置
６：出力端子
７：出力線
８：鹿や熊や猿などの害獣
９：地中
１０：アース棒
１１：アース線
１２：アース端子
１５：被覆電線
２０：本考案の電気さく用支柱の導電体
２１：線状の間隔
２５：本考案への結線
【図１】
0003181168.tif 000003
【図２】
0003181168.tif 000004
【図３】
0003181168.tif 000005
【図４】
0003181168.tif 000006
【図５】
0003181168.tif 000007
【図６】
0003181168.tif 000008
【図７】
0003181168.tif 000009
【図８】
0003181168.tif 000010